(57)【要約】【課題】スプールに対する前側鍔部の固定作業が容易で且つその固定強度が充分に得られ、前側鍔部のガタ付きや固定部分の破損を防止できる魚釣用スピニングリールの提供を目的としている。【解決手段】本発明の魚釣用スピニングリール１において、スプール１０は、釣糸が巻回される釣糸巻回胴部１０ａと、この釣糸巻回胴部１０ａに巻回された釣糸の前側を規制する前側鍔部１０ｂとを有し、前側鍔部１０ｂには、釣糸巻回胴部１０ａの内側に取り付く筒状部４５が軸方向に一体に突出形成されていることを特徴とする。【選択図】    図２
2004222665.tif 000002
【特許請求の範囲】
【請求項１】
ハンドル操作で連動回転するロータの釣糸案内部を介して、スプール軸の前部に取り付けられたスプールに釣糸を巻回する魚釣用スピニングリールにおいて、
前記スプールは、釣糸が巻回される釣糸巻回胴部と、この釣糸巻回胴部に巻回された釣糸の前側を規制する前側鍔部とを有し、
前記前側鍔部には、前記釣糸巻回胴部の内側に取り付く筒状部が軸方向に一体に突出形成されていることを特徴とする魚釣用スピニングリール。
【請求項２】
前記前側鍔部の前記筒状部の内側には、前記スプールの回転に制動力を付与する制動部材を収容可能な空間が形成されていることを特徴とする請求項１に記載の魚釣用スピニングリール。
【発明の詳細な説明】
【０００１】
【発明の属する技術分野】
本発明は、ハンドル操作に連動回転するロータに設けられた釣糸案内部を介して、釣糸をスプールに巻回する魚釣用スピニングリールの改良に関する。
【０００２】
【従来の技術】
魚釣用スピニングリールのスプールは、前側鍔部、釣糸巻回胴部、後側円筒部の各部位から構成される。また、スプールに巻回された釣糸は、ベールを反転させた後、釣竿の振り下ろし操作と同時に、スプールからスパイラル状で前方へ放出される。
【０００３】
このような釣糸放出操作時において、釣糸は、スプールの前側鍔部に接触した状態で勢い良く前方に放出されるため、これによって生じる摩擦抵抗の影響により切断されてしまう虞がある。また、前記摩擦抵抗によって釣糸の飛距離が低下してしまったり、あるいは、異物や水分を含んでいる釣糸で前側鍔部が損傷してしまうといった問題も生じ得る。
【０００４】
そのため、このような問題を解決するべく、最近の魚釣用スピニングリールでは、例えば、耐摩耗性の良好な硬質材リングがスプールの前側鍔部に装着固定されている（例えば、特許文献１および特許文献２参照）。
【０００５】
【特許文献１】
特開２０００−２２４９４４号公報
【０００６】
【特許文献２】
特開２００１−２６９０９９号公報
【０００７】
【発明が解決しようとする課題】
ところが、前記特許文献１に開示されたスピニングリールでは、スプールの釣糸巻回胴部の前部に形成された係止段部に前側鍔部がナット部材により締結固定されている。そのため、以下のような幾つかの問題が生じる。
【０００８】
まず、第１に、リング状の前側鍔部をスプール前部の係止段部に係止固定した後、ナット部材をスプールの内部に螺着して、前側鍔部をナット部材とスプールとの間で圧着固定するといった作業により、前側鍔部が締結一体化されるため、作業性が悪いという問題がある。
【０００９】
また、第２に、スプールの前部内側に装着されるドラグ機構等のスペース的な制約により、ナット部材の螺着量を多く取ることができない。そのため、充分な締結強度が得られず、高負荷釣糸巻着時の巻回圧力の影響によって、前側鍔部がガタ付いたり、締結固定部分が破損したりする場合がある。
【００１０】
また、第３に、前側鍔部とスプール前部の係止段部との接合面積が少ないため、これら両者の一体的強度が充分に得られず、前述したと同様に、前側鍔部がガタ付いたり、締結固定部分が破損したりする場合がある。
【００１１】
本発明は前記事情に着目してなされたものであり、その目的とするところは、スプールに対する前側鍔部の固定作業が容易で且つその固定強度が充分に得られ、前側鍔部のガタ付きや固定部分の破損を防止できる魚釣用スピニングリールを提供することにある。
【００１２】
【課題を解決するための手段】
前記課題を解決するために、本発明は、ハンドル操作で連動回転するロータの釣糸案内部を介して、スプール軸の前部に取り付けられたスプールに釣糸を巻回する魚釣用スピニングリールにおいて、前記スプールは、釣糸が巻回される釣糸巻回胴部と、この釣糸巻回胴部に巻回された釣糸の前側を規制する前側鍔部とを有し、前記前側鍔部には、前記釣糸巻回胴部の内側に取り付く筒状部が軸方向に一体に突出形成されていることを特徴とする。
【００１３】
【発明の実施の形態】
以下、図面を参照しつつ本発明の実施形態について説明する。
【００１４】
図１〜図５は本発明の第１の実施形態を示している。図１に示されるように、魚釣用スピニングリール１は、リール本体１ａと、リール本体１ａから延出する脚部１ｂと、脚部１ｂの端部に形成され且つ図示しない釣竿に取り付けられる竿取付部１ｃとを有している。リール本体１ａ内にはハンドル軸２が回転可能に支持されており、リール本体１ａから突出するハンドル軸２の端部にはハンドル３が固定されている。
【００１５】
ハンドル軸２には図示しないドライブギアが取り付けられており、このドライブギアには図示しないピニオンギアが噛合している。なお、前記ピニオンギアは、ハンドル軸２に対して直交する方向に延在し且つ軸受を介して回転可能に支持された図示しない回転軸筒の基端部外周面に形成されている。また、前記回転軸筒の先端部には、ベール６および釣糸案内部（図示せず）を備えたロータ８が一体的に取り付けられている。
【００１６】
また、前記回転軸筒の内部には、ハンドル軸２と直交する方向に摺動可能に支持されたスプール軸９が挿通されており、スプール軸９の先端部には釣糸が巻回されるスプール１０が着脱可能に取付けられている。スプール１０は、実際に釣糸が巻回される巻回胴部１０ａと、巻回された釣糸の前側を規制するフランジ状の前側鍔部１０ｂと、ロータ８の先端側外周を取り囲む後側円筒部１０ｃとを備えており、後述するドラグ機構のドラグ調整ツマミ２０を介してスプール軸９に取り付けられている。
【００１７】
また、前記ドライブギアには、オシレーティング機構が係合している。このオシレーティング機構は、ハンドル軸２がハンドルの回転操作によって回転された時、スプール軸９を軸方向に沿って往復駆動する。
【００１８】
したがって、このような構成では、ハンドル３を回転操作してハンドル軸２を回転させると、前記オシレーティング機構を介してスプール軸９に取り付けられたスプール１０が前後に往復動するとともに、前記ドライブギアおよび前記ピニオンギアを介してロータ８が回転駆動する。したがって、スプール１０には、釣糸案内装置１５を介して、釣糸が均等に巻回される。
【００１９】
また、図３〜図５に明確に示されるように、本実施形態のスプール１０は、スプール本体１０Ａと、スプール本体１０Ａに着脱自在に取り付けられるリング部品としての鍔部形成体１０Ｂとから成る。
【００２０】
スプール本体１０Ａは、巻回胴部１０ａおよび後側円筒部１０ｃを有している。巻回胴部１０ａの先端側の内周面には、鍔部形成体１０Ｂの後述する雄ネジ３２が螺合する雌ネジ３４が形成されている。また、巻回胴部１０ａの先端には、スプール本体１０Ａに鍔部形成体１０Ｂを取り付けた状態で前側鍔部１０ｂの背面４４に段差を殆ど形成することなく当接するフランジ４２が形成されている。
【００２１】
また、鍔部形成体１０Ｂは、前側鍔部１０ｂを形成する筒状のフランジ部４１と、スプール本体１０Ａに螺着されて巻回胴部１０ａ内に位置される円筒部（筒状部）４５とから成る。円筒部４５は、フランジ部４１（前側鍔部１０ｂ）の中央部から軸方向に突出形成されており、後述するドラグ機構の制動板５０Ａ，５０Ｂ等およびクリック機構４０を収容する制動体収容部Ｓをその内側に形成している。また、円筒部４５の外周面には、巻回胴部１０ａの雌ネジ３４に螺合する雄ネジ３２が形成されている。更に、円筒部４５の内周面には、制動板５０Ａを回り止め係止するための凹状の係止溝３７が軸方向に沿って形成されている。なお、フランジ部４１に隣接する円筒部４５の部位の内周面には、凹環状の周溝３６が形成されており、この周溝３６には、後述するドラグ機構の制動板５０Ａ，５０Ｂ等の抜け止めを図るための止めリング３５が着脱自在に装着されている。
【００２２】
また、本実施形態において、鍔部形成体１０Ｂは、スプール本体１０Ａよりも硬質の材料によって形成されている。具体的には、例えば、鍔部形成体１０Ｂは、アルミニウム（硬質アルマイト）、ステンレス（ＩＰ処理）、銅合金（硬質メッキ、ＩＰ）、チタン（ＩＰ処理）等によって形成され、一方、スプール本体１０Ａは、鍔部形成体１０Ｂよりも柔らかい材料、例えばアルミダイキャスト、樹脂等によって形成されている。
【００２３】
また、本実施形態の魚釣用スピニングリール１には、スプール１０に制動力を付与しながらスプール１０の釣糸繰り出し方向への回転を許容する（スプールの回転力を制御する）フロントドラグ方式のドラグ機構が設けられている。このドラグ機構において、スプール１０は、図２に拡大して示されるように、ベアリング２３を介して支持部材２４に回転可能に支持されている。支持部材２４は、ピン２５を介してスプール軸９に回り止め固定されている。支持部材２４には、スプール１０と圧接可能な圧接板２６が一体的に固定されている。
【００２４】
また、ドラグ機構は、スプール軸９に螺合されるドラグ調整ツマミ２０と、圧接板２６との間でスプール１０を挟み込む複数の摩擦板と、摩擦板（具体的には摩擦板と隣接するクリック機構４０）とドラグ調整ツマミ２０との間に介挿された圧縮バネ２２とを備えている。
【００２５】
前記複数の摩擦板は、具体的には、円筒部４５の凹状の係止溝３７に回り止め係止され且つ係止溝３７に沿って軸方向に移動可能な第１の制動板（ワッシャ）５０Ａと、軸方向に移動可能に支持部材２４に回り止め支持（嵌合）された第２の制動板（ワッシャ）５０Ｂと、これらの制動板５０Ａ，５０Ｂとクリック機構４０とスプール１０との間に介在して設けられたライニング材５２とから成り、クリック機構４０と共にスプールの鍔部形成体１０Ｂの制動体収容部Ｓ内に収容されている。
【００２６】
このようなフロント方式のドラグ機構では、バネ２２の付勢力に抗してドラグ調整ツマミ２０が締込み操作される（ドラグ調整ツマミ２０がスプール軸９に捩じ込まれる）と、その締込み力に応じた押圧力で、スプール１０が前記摩擦板により圧接部材２６に対して圧接され、スプール軸９に対するスプール１０の回転が規制される。また、ドラグ調整ツマミ２０が緩められると、その緩め具合に応じて、スプール軸９に対するスプール１０の回転が許容される。
【００２７】
以上説明したように、本実施形態の魚釣用スピニングリール１において、スプール１０は、スプール本体１０Ａと、スプール本体１０Ａに着脱自在に取り付けられる鍔部形成体１０Ｂとから成り、鍔部形成体１０Ｂは、前側鍔部１０ｂを形成する筒状のフランジ部４１と、スプール本体１０Ａに螺着されて釣糸巻回胴部１０ａ内に位置される円筒部４５とから成る。言い換えると、前側鍔部１０ｂには、釣糸巻回胴部１０ａの内側に取り付く円筒部（筒状部）４５が軸方向に一体に突出形成されている。
【００２８】
このように、円筒部４５を釣糸巻回胴部１０ａの内側に固定する構成とすれば、締結部材を別個に必要としないため、構成が簡素化（本実施形態では、スプールが２つの部品１０Ａ，１０Ｂのみから成る）され、作業性が向上するとともに、製造コストの低減を図ることができる。また、円筒部４５の存在によって前側鍔部１０ｂを有する鍔部形成体１０Ｂとスプール１０との接合面積が多くなる（接合部を可及的に多く取れる）ため、これら両者の一体的強度が充分に得られ（効率良く強度アップが図れ）、高負荷釣糸巻着時の巻回圧力の影響によって前側鍔部１０ｂがガタ付いたり、固定部分が破損したりするといった事態を回避することができる。
【００２９】
また、本実施形態の魚釣用スピニングリール１においては、鍔部形成体１０Ｂがスプール本体１０Ａよりも硬質の材料（高硬度材）によって形成されている。したがって、簡素な構造でスプール１０の強度を確保しつつ、ドラグ機構の制動体収容部Ｓの補強が可能となるため、ドラグ性能が安定する。また、このような構成では、円筒部４５が補強体として機能するため、釣糸巻回胴部１０ａの薄肉化も可能となり、充分なドラグスペース（ドラグ力）を確保しながら、糸巻き量を増加できる。
【００３０】
なお、本実施形態では、鍔部形成体１０Ｂがスプール本体１０Ａに螺合されている（着脱自在に取り付けられている）が、鍔部形成体１０Ｂをスプール本体１０Ａに固定できれば、その取り付け形態はどのような形態であっても良い（例えば着脱自在でなくても良く、あるいは、固着一体化しても良い）。
【００３１】
図６〜図８は本発明の第２の実施形態を示している。なお、本実施形態において、第１の実施形態と同一の構成部分については、以下、同一符号を付してその説明を省略する。
【００３２】
本実施形態の魚釣用スピニングリール１Ａには、フロントドラグ機構が設けられておらず、したがって、鍔部形成体１０Ｂの円筒部４５には、摩擦板が係止する係止溝３７や止めリング３５のための周溝３６が形成されていない。
【００３３】
このように、円筒部４５は、第１の実施形態のように制動体を収容するための空間を形成していなくても良く、前側鍔部１０ｂと一体形成され且つ釣糸巻回胴部１０ａに取り付くという最低限の機能を有していれば良い。
【００３４】
【発明の効果】
以上説明したように、本発明の魚釣用スピニングリールによれば、スプールに対する前側鍔部の固定作業が容易で且つその固定強度が充分に得られ、前側鍔部のガタ付きや固定部分の破損を防止できる。
【図面の簡単な説明】
【図１】本発明の第１の実施形態に係る魚釣用スピニングリールの一部断面を有する側面図である。
【図２】図１の魚釣用スピニングリールのスプールおよびその内部構造の断面図である。
【図３】図１の魚釣用スピニングリールのスプールの組み付け状態の断面図である。
【図４】図１の魚釣用スピニングリールのスプールの分解状態の断面図である。
【図５】（ａ）は鍔部形成体の側断面図、（ｂ）は（ａ）のＡ−Ａ線に沿う断面図である。
【図６】本発明の第２の実施形態に係る魚釣用スピニングリールの一部断面を有する側面図である。
【図７】図６の魚釣用スピニングリールのスプールおよびその内部構造の断面図である。
【図８】図６の魚釣用スピニングリールのスプールの組み付け状態（分解状態が二点鎖線で示されている）の断面図である。
【符号の説明】
１…魚釣用スピニングリール
３…ハンドル
８…ロータ
９…スプール軸
１０…スプール
１０ａ…釣糸巻回胴部
１０ｂ…前側鍔部
４５…筒状部
【図１】
2004222665.tif 000003
【図２】
2004222665.tif 000004
【図３】
2004222665.tif 000005
【図４】
2004222665.tif 000006
【図５】
2004222665.tif 000007
【図６】
2004222665.tif 000008
【図７】
2004222665.tif 000009
【図８】
2004222665.tif 000010